(57)【特許請求の範囲】
【請求項１】
リーダライタを有する情報処理装置により読み込まれるパスワードの管理を行うパスワード管理装置であって、
夫々がパスワードを格納する複数のパスワード領域を有するパスワード記憶手段と、
前記複数のパスワード領域に夫々対応する複数のパスワード状態情報であって、対応するパスワード領域に格納されたパスワードが前記情報処理装置に登録済みである否かを示す前記複数のパスワード状態情報を記憶するパスワード状態情報記憶手段と、
前記リーダライタとの無線通信を介した前記情報処理装置の指示に従って、前記パスワード記憶手段の読み込みと前記パスワード状態情報記憶手段の読み込み及び書き込みとを行う無線通信手段と、
前記登録済みであるパスワードの変更の指示を受けた場合、パスワードを生成し、前記複数のパスワード状態情報のうち登録済みであることを示していないパスワード状態情報に対応するパスワード領域を選択し、前記生成されたパスワードを前記選択されたパスワード領域へ書き込む制御手段と
を備えるパスワード管理装置。
【請求項２】
請求項１に記載のパスワード管理装置において、
前記生成されたパスワードが前記情報処理装置に登録された場合、前記生成されたパスワードが登録済みであることを示すパスワード状態情報が、前記無線通信手段を介して前記情報処理装置により前記パスワード状態情報記憶手段に書き込まれることを特徴とするパスワード管理装置。
【請求項３】
請求項１または請求項２に記載のパスワード管理装置において、
前記生成されたパスワードが前記情報処理装置への登録中である場合、前記制御手段は、前記生成されたパスワードが登録中であることを示すパスワード状態情報を前記パスワード状態情報記憶手段へ書き込むことを特徴とするパスワード管理装置。
【請求項４】
請求項１乃至請求項３のいずれかに記載のパスワード管理装置において、
前記生成されたパスワードが生成中である場合、前記制御手段は、前記生成されたパスワードが生成中であることを示すパスワード状態情報を前記パスワード状態情報記憶手段へ書き込むことを特徴とするパスワード管理装置。
【請求項５】
無線通信タグを有するパスワード管理装置からリーダライタを有する情報処理装置へ読み込まれるパスワードの管理を行うパスワード管理方法であって、
夫々がパスワードを格納する複数のパスワード領域を有するパスワード記憶手段と、前記複数のパスワード領域に夫々対応する複数のパスワード状態情報であって、対応するパスワード領域に格納されたパスワードが前記情報処理装置に登録済みである否かを示す前記複数のパスワード状態情報を記憶するパスワード状態情報記憶手段とを有する前記パスワード管理装置が、前記登録済みであるパスワードの変更の指示を受けた場合、パスワードを生成するパスワード生成ステップと、
前記パスワード管理装置が、前記複数のパスワード状態情報のうち登録済みであることを示していないパスワード状態情報に対応するパスワード領域を選択し、前記生成されたパスワードを前記選択されたパスワード領域へ書き込むパスワード書き込みステップと
を実行するパスワード管理方法。
【請求項６】
請求項５に記載のパスワード管理方法において、
更に前記パスワード書き込みステップの後、前記情報処理装置が、前記生成されたパスワードが前記情報処理装置に登録された場合、前記生成されたパスワードが登録済みであることを示すパスワード状態情報を、前記リーダライタによる無線通信を介して前記パスワード状態情報記憶手段へ書き込むパスワード状態情報書き込みステップを実行することを特徴とするパスワード管理方法。
【請求項７】
請求項５または請求項６に記載のパスワード管理方法において、
前記パスワード書き込みステップは、前記生成されたパスワードが前記情報処理装置への登録中である場合、前記パスワード管理装置が、前記生成されたパスワードが登録中であることを示すパスワード状態情報を前記パスワード状態情報記憶手段へ書き込むことを特徴とするパスワード管理方法。
【請求項８】
請求項５乃至請求項７のいずれかに記載のパスワード管理方法において、
前記パスワード生成ステップは、前記生成されたパスワードが生成中である場合、前記パスワード管理装置が、前記生成されたパスワードが生成中であることを示すパスワード状態情報を前記パスワード状態情報記憶手段へ書き込むことを特徴とするパスワード管理方法。
【請求項９】
無線通信タグを有するパスワード管理装置からリーダライタを有する情報処理装置へ読み込まれるパスワードの管理を前記パスワード管理装置のコンピュータに実行させるパスワード管理プログラムであって、
夫々がパスワードを格納する複数のパスワード領域を有するパスワード記憶手段と、前記複数のパスワード領域に夫々対応する複数のパスワード状態情報であって、対応するパスワード領域に格納されたパスワードが前記情報処理装置に登録済みである否かを示す前記複数のパスワード状態情報を記憶するパスワード状態情報記憶手段とを有する前記パスワード管理装置が、前記登録済みであるパスワードの変更の指示を受けた場合、パスワードを生成するパスワード生成ステップと、
前記複数のパスワード状態情報のうち登録済みであることを示していないパスワード状態情報に対応するパスワード領域を選択し、前記生成されたパスワードを前記選択されたパスワード領域へ書き込むパスワード書き込みステップと
をコンピュータに実行させるパスワード管理プログラム。
【請求項１０】
請求項９に記載のパスワード管理プログラムにおいて、
前記生成されたパスワードが前記情報処理装置に登録された場合、前記生成されたパスワードが登録済みであることを示すパスワード状態情報が、無線通信を介して前記情報処理装置により前記パスワード状態情報記憶手段に書き込まれることを特徴とするパスワード管理プログラム。
【発明の詳細な説明】
【技術分野】
【０００１】
本発明は、リーダライタを有する情報処理装置により読み込まれるパスワードの管理を行うパスワード管理装置、パスワード管理方法、パスワード管理プログラムに関するものである。
【背景技術】
【０００２】
非接触ＩＣ（Integrated Circuit）カードを用いて、ＰＣ（Personal Computer）やアプリケーションにログオンするログオンシステムが実用化されている。同様に、非接触ＩＣカード搭載携帯電話機を用いて、このようなログオンシステムを利用することができる。
【０００３】
また、非接触ＩＣカードを用いるログオンシステムは、自動的にランダムな値を生成することにより、本人認証を行うためのパスワードを生成し、旧パスワードから新パスワードに変更する機能を有する。この機能を実現するためには、非接触ＩＣカード内に格納されるパスワードをＰＣ上のソフトがＲＥＡＤ／ＷＲＩＴＥできることが必要である。
【０００４】
なお、本発明の関連ある従来技術として、携帯電話機が通信開始時に予め格納されたパスワードを送信し、通信終了時に新たなパスワードを格納する技術がある（例えば、特許文献１参照）。
【特許文献１】特開２００１−３０８８５０号公報
【発明の開示】
【発明が解決しようとする課題】
【０００５】
しかしながら、非接触ＩＣカード搭載携帯電話機において、非接触ＩＣカードチップ内の各項目の属性のＷＲＩＴＥを行う場合、セキュリティを確保するためにＰＣから鍵付きＷＲＩＴＥを行う必要がある。また、これを実現するためのリーダライタは、一般のリーダライタと異なり、鍵付きＷＲＩＴＥの機能を持つ特殊なリーダライタが必要であり、このようなリーダライタは非接触ＩＣカードの発行用に用いられるものであり非常に高価である。
【０００６】
本発明は上述した問題点を解決するためになされたものであり、セキュアなログオンを行うためのパスワード管理装置、パスワード管理方法、パスワード管理プログラムを提供することを目的とする。
【課題を解決するための手段】
【０００７】
上述した課題を解決するため、本発明は、リーダライタを有する情報処理装置により読み込まれるパスワードの管理を行うパスワード管理装置であって、複数のパスワードを記憶することができるパスワード記憶手段と、前記パスワード記憶手段における各パスワードの状態をパスワード状態情報として記憶するパスワード状態情報記憶手段と、前記リーダライタとの無線通信を介した前記情報処理装置の指示に従って、前記パスワード記憶手段の読み込みと前記パスワード状態情報記憶手段の読み込み及び書き込みを行う無線通信手段と、前記情報処理装置に登録済みであるパスワードについて、前記パスワード状態情報記憶手段に記憶されたパスワード状態情報に基づき新パスワードへの変更が必要か否かを判断するとともに、必要であれば新パスワードの生成を行い、前記パスワード記憶手段における前記登録済みのパスワードの記憶領域と異なる記憶領域に前記新パスワードを書き込む制御手段と
を備えたものである。
【０００８】
また、本発明に係るパスワード管理装置において、前記新パスワードが前記情報処理装置に登録された場合、前記新パスワードが登録済みであることを示すパスワード状態情報が、前記無線通信手段を介して前記情報処理装置により前記パスワード状態情報記憶手段に書き込まれることを特徴とするものである。
【０００９】
また、本発明に係るパスワード管理装置において、前記新パスワードが前記情報処理装置への登録中である場合、前記制御手段は、前記パスワード状態情報記憶手段において、前記新パスワードが登録中であることを示すパスワード状態情報を書き込むことを特徴とするものである。
【００１０】
また、本発明に係るパスワード管理装置において、前記新パスワードが生成中である場合、前記制御手段は、前記パスワード状態情報記憶手段において、前記新パスワードが生成中であることを示すパスワード状態情報を書き込むことを特徴とするものである。
【００１１】
また、本発明は、無線通信タグを有するパスワード管理装置からリーダライタを有する情報処理装置へ読み込まれるパスワードの管理を行うパスワード管理方法であって、前記パスワード管理装置において、記憶されたパスワードのうち前記情報処理装置に登録済みであるパスワードについて、パスワードの状態を表すパスワード状態情報に基づき新パスワードへの変更が必要か否かを判断するとともに、必要であれば新パスワードの生成を行うパスワード生成ステップと、前記パスワード管理装置において、前記登録済みのパスワードの記憶領域と異なる記憶領域に前記新パスワードを書き込むパスワード書き込みステップとを実行するものである。
【００１２】
また、本発明に係るパスワード管理方法において、更に前記パスワード書き込みステップの後、前記情報処理装置において、前記新パスワードが前記情報処理装置に登録された場合、前記新パスワードが登録済みであることを示すパスワード状態情報を、前記リーダライタによる無線通信を介して前記パスワード管理装置に書き込むパスワード状態情報書き込みステップを実行することを特徴とするものである。
【００１３】
また、本発明に係るパスワード管理方法において、前記パスワード書き込みステップは、前記新パスワードが前記情報処理装置への登録中である場合、前記パスワード管理装置において、前記新パスワードが登録中であることを示すパスワード状態情報を書き込むことを特徴とするものである。
【００１４】
また、本発明に係るパスワード管理方法において、前記パスワード生成ステップは、前記新パスワードが生成中である場合、前記制御手段は、前記パスワード管理装置において、前記新パスワードが生成中であることを示すパスワード状態情報を書き込むことを特徴とするものである。
【００１５】
また、本発明は、無線通信タグを有するパスワード管理装置からリーダライタを有する情報処理装置へ読み込まれるパスワードの管理を前記パスワード管理装置のコンピュータに実行させるパスワード管理プログラムであって、記憶されたパスワードのうち前記情報処理装置に登録済みであるパスワードについて、パスワードの状態を表すパスワード状態情報に基づき新パスワードへの変更が必要か否かを判断するとともに、必要であれば新パスワードの生成を行うパスワード生成ステップと、前記登録済みのパスワードの記憶領域と異なる記憶領域に前記新パスワードを書き込むパスワード書き込みステップとをコンピュータに実行させるものである。
【００１６】
また、本発明に係るパスワード管理プログラムにおいて、前記新パスワードが前記情報処理装置に登録された場合、前記新パスワードが登録済みであることを示すパスワード状態情報が、無線通信を介して前記情報処理装置により前記パスワード状態情報記憶手段に書き込まれることを特徴とするものである。
【発明の効果】
【００１７】
本発明によれば、パスワード管理装置においてパスワードを生成し、情報処理装置へパスワードの登録することにより、セキュアなパスワード管理を行うことができる。
【発明を実施するための最良の形態】
【００１８】
以下、本発明の実施の形態について図面を参照しつつ説明する。
【００１９】
実施の形態１．
【００２０】
本実施の形態においては、ログオンシステムの一例として、ユーザが情報処理装置のＯＳ（Operation System）へのログオンを行うためのログオンシステムについて説明する。また、無線通信タグの一例として、非接触ＩＣカードについて説明する。また、無線通信タグを有するパスワード管理装置の一例として、携帯電話機について説明する。また、情報処理装置の一例として、ＰＣについて説明する。また、本実施の形態におけるログオンシステムは、携帯電話機がパスワード変更の契機となり、携帯電話機がパスワードの生成を行うものである。
【００２１】
まず、本実施の形態に係るログオンシステムの構成について説明する。
【００２２】
図１は、本実施の形態に係るログオンシステムの構成の一例を示すブロック図である。このログオンシステムは、携帯電話機１、ＰＣ２、リーダライタ２３を備える。携帯電話機１は、ＵＩ（ユーザインタフェース）部１１、非接触ＩＣカード制御部１２、非接触ＩＣカード部１３を備える。ＰＣ２は、ＯＳ２１、リーダライタ制御部２２を備える。非接触ＩＣカード部１３は、記憶部３１、無線通信部３２を備える。記憶部３１は、第１パスワードを記憶する第１パスワード領域４１、第２パスワードを記憶する第２パスワード領域４２、パスワード状態情報を記憶するパスワード状態情報領域４３を備える。また、このログオンシステムにおいて、例えば、ＵＩ部１１、非接触ＩＣカード制御部１２、ＯＳ２１、リーダライタ制御部２２は、ソフトウェアで構成され、非接触ＩＣカード部１３、リーダライタ２３はハードウェアで構成される。
【００２３】
また、非接触ＩＣカードとリーダライタの間の無線通信と同様、ユーザにより携帯電話機１がリーダライタ２３にかざされ、リーダライタ２３から送信される無線信号が無線通信部３２に到達すると、リーダライタ２３と無線通信部３２の間で無線通信が行われる。この無線通信により、リーダライタ制御部２２は、リーダライタ２３と無線通信部３２を介して、記憶部３１の読み書きを行うことができる。また、非接触ＩＣカード制御部１２は、直接、記憶部３１の読み書きを行うことができる。
【００２４】
次に、パスワード状態情報領域４３に記憶されるパスワード状態情報について説明する。
【００２５】
図２は、本実施の形態に係るパスワード状態情報の構成の一例を示す表である。パスワード状態情報は、例えば、“ＸＹ”の形式で表され、Ｘは第１パスワード領域４１の状態を表す第１パスワード状態情報であり、Ｙは第２パスワード領域４２の状態を表す第２パスワード状態情報である。ＸとＹの値において、例えば、“０”は対応する領域のパスワードが未登録であることを表し、“１”は対応する領域のパスワードが生成中であることを表し、“５”は対応する領域のパスワードがＯＳパスワードとして登録（変更）されている途中であることを表し、“９”は対応する領域のパスワードが非接触ＩＣカード部１３とＯＳ２１の両方における登録（変更）を完了し、そのパスワードが使用中であることを表す。
【００２６】
次に、本実施の形態に係るログオンシステムの動作について説明する。
【００２７】
図３は、本実施の形態に係るログオンシステムの動作の一例を示すシーケンス図である。まず、ＵＩ部１１は、ユーザの操作に従ってメニューを表示し、ユーザの操作によりメニュー上のパスワード変更指示が選択されると、非接触ＩＣカード制御部１２へパスワード変更指示を渡す（Ｓ１１１）。パスワード変更指示を受け取った非接触ＩＣカード制御部１２は、記憶部３１のパスワード状態情報領域４３を参照し、第１パスワード領域４１と第２パスワード領域４２のうち使用中でない方のパスワード領域を選択する。
【００２８】
以後、第１パスワード領域４１に使用中のパスワード（旧パスワード）が記憶されており、第２パスワード領域４２に新パスワードを書き込む場合について説明する。ここで、非接触ＩＣカード制御部１２は、第２パスワード状態情報Ｙの値を、新パスワードの生成中であることを表す“１”にする。更に、非接触ＩＣカード制御部１２は、新パスワードを生成し、選択したパスワード領域に新パスワードの書き込みの指示を非接触ＩＣカード部１３に渡す（Ｓ１１２）。ここで、非接触ＩＣカード制御部１２は、ランダム値を生成し、新パスワードとする。
【００２９】
書き込みの指示を受け取った非接触ＩＣカード部１３は、指示に従って新パスワードを第２パスワード領域４２に書き込むとともに、パスワード状態情報をパスワード状態情報領域４３に書き込み、書き込みが完了したことを非接触ＩＣカード制御部１２へ応答する（Ｓ１１３）。ここで、非接触ＩＣカード制御部１２は、第２パスワード状態情報Ｙの値を、ＯＳのパスワードの変更中であることを表す“５”になる。
【００３０】
応答を受け取った非接触ＩＣカード制御部１２は、ユーザが携帯電話機１をリーダライタ２３にかざすように表示する指示をＵＩ部１１に渡し、ＵＩ部１１は、指示に従って表示を行う（Ｓ１１４）。
【００３１】
次に、リーダライタ制御部２２は、リーダライタ２３に読み込みの指示を出したときに（Ｓ１２１）、ユーザにより携帯電話機１がリーダライタ２３にかざされた状態であれば、リーダライタ２３は、非接触ＩＣカード部１３の記憶部３１にアクセスし（Ｓ１２２）、第１パスワード領域４１、第２パスワード領域４２、パスワード状態情報領域４３の内容を読み込み（Ｓ１２３）、読み込んだ内容をリーダライタ制御部２２に渡す（Ｓ１２４）。記憶部３１の内容を受け取ったリーダライタ制御部２２は、この内容を用いてＯＳ２１のパスワード変更を行う（Ｓ１２５）。ここで、リーダライタ制御部２２は、パスワード状態情報領域４３の内容に基づいて第１パスワード領域４１と第２パスワード領域４２のどちらが旧パスワードでどちらが新パスワードかを判断し、ＯＳ２１のパスワード変更を要求し、パスワード変更に必要な旧パスワードと新パスワードを渡すことにより、パスワード変更を行う。
【００３２】
次に、ＯＳ２１は、パスワード変更の結果をリーダライタ制御部２２に応答する（Ｓ１２６）。パスワード変更の結果を受け取ったリーダライタ制御部２２は、パスワード変更が成功したか否かの判定を行い、成功であればリーダライタ２３にパスワード状態情報の更新の指示を出す（Ｓ１３１）。パスワード変更情報の書き込みの指示を受け取ったリーダライタ２３は、非接触ＩＣカード１３のパスワード状態情報領域４３のパスワード状態情報の更新を行う（Ｓ１３２）。ここで、非接触ＩＣカード制御部１２は、第２パスワード状態情報Ｙの値を、変更済みであることを表す“９”になる。
【００３３】
次に、非接触ＩＣカード部１３は、書き込みの完了を、リーダライタ２３へ応答し（Ｓ１３３）、リーダライタ２３は書き込みの指示に対する応答をリーダライタ制御部２２に返す（Ｓ１３４）。応答を受け取ったリーダライタ制御部２２は、パスワード変更が完了したことを表すパスワード変更完了通知を、リーダライタ２３に渡し（Ｓ１４１）、リーダライタ２３は非接触ＩＣカード部１３に渡し（Ｓ１４２）、非接触ＩＣカード部１３は、非接触ＩＣカード制御部１２に渡す（Ｓ１４３）。パスワード変更完了通知を受け取った非接触ＩＣカード制御部１２は、ＵＩ部１１にパスワード変更が完了したことを表す表示の指示を出し、ＵＩ部１１は、指示に従って表示を行い（Ｓ１４４）、このシーケンスを終了する。
【００３４】
なお、本実施の形態においては、記憶部３１に記憶されるパスワードを２個としたが、３個以上であってもよい。
【００３５】
本実施の形態によれば、特殊なリーダライタを用いることなく、携帯電話機１のユーザの判断により、いつでも簡単にセキュアなパスワード変更を行うことができる。
【００３６】
実施の形態２．
本実施の形態におけるログオンシステムは、ＰＣがパスワード変更の契機となり、携帯電話機がパスワードの生成を行うものである。本実施の形態におけるログオンシステムの構成、パスワード状態情報の構成は、実施の形態１と同様である。また、
【００３７】
次に、本実施の形態に係るログオンシステムの動作について説明する。
【００３８】
図４は、本実施の形態に係るログオンシステムの動作の一例を示すシーケンス図である。図４において、図３と同一符号は図３に示された対象と同一又は相当の処理を示しており、ここでの説明を省略する。図３と比較すると図４は、処理Ｓ１１１の代わりに処理Ｓ２０１，Ｓ２０２，Ｓ２０３，Ｓ２０４を実行し、処理Ｓ１１４の代わりに処理Ｓ２１４，Ｓ２１５，Ｓ２１６を実行する。
【００３９】
本実施の形態においては、ＯＳ２１が定期的にパスワード変更の指示を行う場合について説明する。まず、ＯＳ２１は、所定のパスワード変更時刻を経過した後、ユーザにより携帯電話機１がリーダライタ２３にかざされた状態になると、パスワード変更の指示をリーダライタ制御部２２に出し（Ｓ２０１）、リーダライタ２３、非接触ＩＣカード部１３を解して非接触ＩＣカード制御部１２に渡される。その後、処理Ｓ１１２〜Ｓ１１３は実施の形態１と同様である。応答を受け取った非接触ＩＣカード制御部１２は、非接触ＩＣカード部１３（Ｓ２１４）、リーダライタ２３を介して（Ｓ２１５）、ＯＳ２１に登録されたパスワード変更の指示をリーダライタ制御部２２に送信する（Ｓ２１６）。以後、実施の形態１と同様、処理Ｓ１２１〜Ｓ１４４を実行し、このシーケンスを終了する。
【００４０】
本実施の形態によれば、特殊なリーダライタを用いることなく、ＯＳ２１の判断により、いつでもセキュアなパスワード変更を行うことができる。
【００４１】
なお、実施の形態２においては、ＯＳ２１が定期的にパスワード変更を行う場合について説明したが、ユーザがＰＣ２上でＯＳ２１に対して操作を行うことにより、ＯＳ２１がパスワード変更を行っても良い。
【００４２】
また、本実施の形態に係るパスワード管理装置は、携帯情報端末に容易に適用することができ、携帯情報端末の性能をより高めることができる。ここで、携帯情報端末には、例えば携帯電話機、ＰＤＡ（Personal Digital Assistant）、ＩＣカード、携帯音声再生装置、携帯画像再生装置等が含まれ得る。また、本実施の形態に係るＯＳとリーダライタ制御部は、情報処理装置に容易に適用することができ、情報処理装置の性能をより高めることができる。ここで、情報処理装置には、例えばＰＣ、ワークステーション、サーバ等が含まれ得る。
【００４３】
更に、パスワード管理装置を構成するコンピュータにおいて上述した各ステップを実行させるプログラムを、パスワード管理プログラムとして提供することができる。上述したプログラムは、コンピュータにより読取り可能な記録媒体に記憶させることによって、パスワード管理装置を構成するコンピュータに実行させることが可能となる。ここで、上記コンピュータにより読取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【００４４】
なお、パスワード記憶手段は、実施の形態における第１パスワード領域と第２パスワード領域に対応する。また、パスワード状態情報記憶手段は、実施の形態におけるパスワード状態情報領域に対応する。また、制御手段は、実施の形態における非接触ＩＣカード制御部に対応する。
【００４５】
また、パスワード生成ステップとパスワード書き込みステップは、実施の形態における処理Ｓ１１２に対応する。また、パスワード状態情報書き込みステップは、実施の形態における処理Ｓ１３２に対応する。
【００４６】
（付記１）  リーダライタを有する情報処理装置により読み込まれるパスワードの管理を行うパスワード管理装置であって、
複数のパスワードを記憶することができるパスワード記憶手段と、
前記パスワード記憶手段における各パスワードの状態をパスワード状態情報として記憶するパスワード状態情報記憶手段と、
前記リーダライタとの無線通信を介した前記情報処理装置の指示に従って、前記パスワード記憶手段の読み込みと前記パスワード状態情報記憶手段の読み込み及び書き込みを行う無線通信手段と、
前記情報処理装置に登録済みであるパスワードについて、前記パスワード状態情報記憶手段に記憶されたパスワード状態情報に基づき新パスワードへの変更が必要か否かを判断するとともに、必要であれば新パスワードの生成を行い、前記パスワード記憶手段における前記登録済みのパスワードの記憶領域と異なる記憶領域に前記新パスワードを書き込む制御手段と
を備えるパスワード管理装置。
（付記２）  付記１に記載のパスワード管理装置において、
前記新パスワードが前記情報処理装置に登録された場合、前記新パスワードが登録済みであることを示すパスワード状態情報が、前記無線通信手段を介して前記情報処理装置により前記パスワード状態情報記憶手段に書き込まれることを特徴とするパスワード管理装置。
（付記３）  付記１または付記２に記載のパスワード管理装置において、
前記新パスワードが前記情報処理装置への登録中である場合、前記制御手段は、前記パスワード状態情報記憶手段において、前記新パスワードが登録中であることを示すパスワード状態情報を書き込むことを特徴とするパスワード管理装置。
（付記４）  付記１乃至付記３のいずれかに記載のパスワード管理装置において、
前記新パスワードが生成中である場合、前記制御手段は、前記パスワード状態情報記憶手段において、前記新パスワードが生成中であることを示すパスワード状態情報を書き込むことを特徴とするパスワード管理装置。
（付記５）  付記１乃至付記４のいずれかに記載のパスワード管理装置において、
前記制御手段は、前記新パスワードを生成した場合、前記無線通信手段を前記情報処理装置のリーダライタにかざすことをユーザに指示するための表示を行うことを特徴とするパスワード管理装置。
（付記６）  付記１乃至付記５のいずれかに記載のパスワード管理装置において、
前記制御手段は、ユーザの操作により新パスワードの生成が指示された場合、新パスワードを生成することを特徴とするパスワード管理装置。
（付記７）  付記１乃至付記６のいずれかに記載のパスワード管理装置において、
前記制御手段は、前記無線通信手段を介して前記情報処理装置から新パスワードの生成が指示された場合、新パスワードを生成することを特徴とするパスワード管理装置。
（付記８）  無線通信タグを有するパスワード管理装置からリーダライタを有する情報処理装置へ読み込まれるパスワードの管理を行うパスワード管理方法であって、
前記パスワード管理装置において、記憶されたパスワードのうち前記情報処理装置に登録済みであるパスワードについて、パスワードの状態を表すパスワード状態情報に基づき新パスワードへの変更が必要か否かを判断するとともに、必要であれば新パスワードの生成を行うパスワード生成ステップと、
前記パスワード管理装置において、前記登録済みのパスワードの記憶領域と異なる記憶領域に前記新パスワードを書き込むパスワード書き込みステップと
を実行するパスワード管理方法。
（付記９）  付記８に記載のパスワード管理方法において、
更に前記パスワード書き込みステップの後、前記情報処理装置において、前記新パスワードが前記情報処理装置に登録された場合、前記新パスワードが登録済みであることを示すパスワード状態情報を、前記リーダライタによる無線通信を介して前記パスワード管理装置に書き込むパスワード状態情報書き込みステップを実行することを特徴とするパスワード管理方法。
（付記１０）  付記８または付記９に記載のパスワード管理方法において、
前記パスワード書き込みステップは、前記新パスワードが前記情報処理装置への登録中である場合、前記パスワード管理装置において、前記新パスワードが登録中であることを示すパスワード状態情報を書き込むことを特徴とするパスワード管理方法。
（付記１１）  付記８乃至付記１０のいずれかに記載のパスワード管理方法において、
前記パスワード生成ステップは、前記新パスワードが生成中である場合、前記制御手段は、前記パスワード管理装置において、前記新パスワードが生成中であることを示すパスワード状態情報を書き込むことを特徴とするパスワード管理方法。
（付記１２）  付記８乃至付記１１のいずれかに記載のパスワード管理方法において、
前記パスワード生成ステップは、前記新パスワードを生成した場合、前記パスワード管理装置を前記情報処理装置のリーダライタにかざすことをユーザに指示するための表示を行うことを特徴とするパスワード管理方法。
（付記１３）  付記８乃至付記１２のいずれかに記載のパスワード管理方法において、
前記パスワード生成ステップは、ユーザの操作により新パスワードの生成が指示された場合、新パスワードを生成することを特徴とするパスワード管理方法。
（付記１４）  付記８乃至付記１３のいずれかに記載のパスワード管理方法において、
前記パスワード生成ステップは、前記情報処理装置から新パスワードの生成が指示された場合、新パスワードを生成することを特徴とするパスワード管理方法。
（付記１５）  無線通信タグを有するパスワード管理装置からリーダライタを有する情報処理装置へ読み込まれるパスワードの管理を前記パスワード管理装置のコンピュータに実行させるパスワード管理プログラムであって、
記憶されたパスワードのうち前記情報処理装置に登録済みであるパスワードについて、パスワードの状態を表すパスワード状態情報に基づき新パスワードへの変更が必要か否かを判断するとともに、必要であれば新パスワードの生成を行うパスワード生成ステップと、
前記登録済みのパスワードの記憶領域と異なる記憶領域に前記新パスワードを書き込むパスワード書き込みステップと
をコンピュータに実行させる実行するパスワード管理プログラム。
（付記１６）  付記１５に記載のパスワード管理プログラムにおいて、
前記新パスワードが前記情報処理装置に登録された場合、前記新パスワードが登録済みであることを示すパスワード状態情報が、無線通信を介して前記情報処理装置により前記パスワード状態情報記憶手段に書き込まれることを特徴とするパスワード管理プログラム。
（付記１７）  付記１５または付記１６に記載のパスワード管理プログラムにおいて、
前記パスワード書き込みステップは、前記新パスワードが前記情報処理装置への登録中である場合、前記新パスワードが登録中であることを示すパスワード状態情報を書き込むことを特徴とするパスワード管理プログラム。
（付記１８）  付記１５乃至付記１７のいずれかに記載のパスワード管理プログラムにおいて、
前記パスワード生成ステップは、前記新パスワードが生成中である場合、前記制御手段は、前記新パスワードが生成中であることを示すパスワード状態情報を書き込むことを特徴とするパスワード管理プログラム。
（付記１９）  付記１５乃至付記１８のいずれかに記載のパスワード管理プログラムにおいて、
前記パスワード生成ステップは、前記新パスワードを生成した場合、前記パスワード管理装置を前記情報処理装置のリーダライタにかざすことをユーザに指示するための表示を行うことを特徴とするパスワード管理プログラム。
（付記２０）  付記１５乃至付記１９のいずれかに記載のパスワード管理プログラムにおいて、
前記パスワード生成ステップは、ユーザの操作により新パスワードの生成が指示された場合、新パスワードを生成することを特徴とするパスワード管理プログラム。
【図面の簡単な説明】
【００４７】
【図１】実施の形態１に係るログオンシステムの構成の一例を示すブロック図である。
【図２】実施の形態１に係るパスワード状態情報の構成の一例を示す表である。
【図３】実施の形態１に係るログオンシステムの動作の一例を示すシーケンス図である。
【図４】実施の形態２に係るログオンシステムの動作の一例を示すシーケンス図である。
【符号の説明】
【００４８】
１  携帯電話機、２  ＰＣ、１１  ＵＩ部、１２  非接触ＩＣカード制御部、１３  非接触ＩＣカード部、２１  ＯＳ、２２  リーダライタ制御部、２３  リーダライタ、３１  記憶部、３２  無線通信部、４１  第１パスワード領域、４２  第２パスワード領域、４３  パスワード状態情報領域。
【図１】
0004800068.tif 000002
【図２】
0004800068.tif 000003
【図３】
0004800068.tif 000004
【図４】
0004800068.tif 000005